(57)【要約】【課題】多数のテンプレートデータの中から所望のテンプレートデータを簡単かつ確実に検索できるデータ検索装置及びデータ検索プログラム並びにデータ検索方法の提供。【解決手段】入力された各キーワードについて、予め記憶されたテーブルを参照して１以上の特定の要素に対する評価値を特定する評価値特定手段１２と、特定された評価値とテンプレートデータのヘッダ又は情報ファイルに予め記録された特定の要素に対する評価値とを比較し、特定された評価値と一致又は近似する評価値を有するテンプレートデータを検索する検索手段１３と、表示手段８と、操作手段９と、キーワードと特定の要素に対する評価値とを対応付けるテーブルなどを記録する内部記憶手段１４と、データ群が記録された記録媒体１５を装填する記録媒体装填手段１０と、これらの手段を制御する制御手段１１とを備える。【選択図】図３
2006221600.tif 000002
【特許請求の範囲】
【請求項１】
図版情報を嵌め込む図版枠及び文字情報を嵌め込む文字枠を配置するためのレイアウト情報が少なくとも記録された複数のテンプレートデータの中から、所定のグラフィックデザインの作成に使用する１以上のテンプレートデータを検索するデータ検索装置であって、
前記所定のグラフィックデザインに関する１以上のキーワードを入力させる手段と、
入力された１以上の前記キーワードの各々について、予め記憶されたテーブルを参照して、前記グラフィックデザインの特徴を示す１以上の特定の要素に対する評価値を特定する手段と、
前記特定された評価値と、各々の前記テンプレートデータ又は情報ファイルに予め記録された１以上の前記特定の要素に対する評価値とを比較して、前記特定された評価値と一致又は近似する評価値を有する１又は複数のテンプレートデータを検索する手段と、
検索された前記テンプレートデータを特定する情報を提示する手段と、を少なくとも備えることを特徴とするデータ検索装置。
【請求項２】
図版情報を嵌め込む図版枠及び文字情報を嵌め込む文字枠を配置するためのレイアウト情報が少なくとも記録された複数のテンプレートデータの中から、所定のグラフィックデザインの作成に使用する１以上のテンプレートデータを検索するデータ検索装置であって、
前記所定のグラフィックデザインに関する１以上の特定の要素に対する評価値を入力させる手段と、
前記入力された評価値と、各々の前記テンプレートデータ又は情報ファイルに予め記録された１以上の前記特定の要素に対する評価値とを比較して、前記入力された評価値と一致又は近似する評価値を有する１又は複数のテンプレートデータを検索する手段と、
検索された前記テンプレートデータを特定する情報を提示する手段と、を少なくとも備えることを特徴とするデータ検索装置。
【請求項３】
前記入力させる手段では、前記キーワード又は前記評価値に加えて、前記所定のグラフィックデザインに嵌め込む写真の枚数を入力させ、
前記検索する手段では、入力された前記写真の枚数以上の前記図版枠を備えるテンプレートデータに対して、前記評価値の比較を行うことを特徴とする請求項１又は２に記載のデータ検索装置。
【請求項４】
前記特定の要素は、文字に対する図版の視覚的な強さを規定する”視覚度”、前記媒体内の領域に対する図版の占有面積比率を規定する”図版度”、嵌め込まれた文字の大小差を規定する”文字のジャンプ率”、嵌め込まれた図版の大小差を規定する”写真のジャンプ率”、前記媒体内の領域に設けられたグリッド線に対する拘束度合いを規定する”グリッド拘束率”、前記媒体内の領域に対する文字及び図版を嵌め込む領域の面積比率を規定する”版面率”、文字の揃え位置を規定する”構成の３原型”、書体のタイプ、太さ、大きさ、字間、行間又は字詰めを規定する”書体のイメージ”の中から選択される１以上の要素を含むことを特徴とする請求項１乃至３のいずれか一に記載のデータ検索装置。
【請求項５】
図版情報を嵌め込む図版枠及び文字情報を嵌め込む文字枠を配置するためのレイアウト情報が少なくとも記録された複数のテンプレートデータの中から、所定のグラフィックデザインの作成に使用する１以上のテンプレートデータを検索するデータ検索プログラムであって、
コンピュータを、
前記所定のグラフィックデザインに関して入力された１以上のキーワードの各々について、予め記憶されたテーブルを参照して、前記グラフィックデザインの特徴を示す１以上の特定の要素に対する評価値を特定する手段、
前記特定された評価値と、各々の前記テンプレートデータ又は情報ファイルに予め記録された１以上の前記特定の要素に対する評価値とを比較して、前記特定された評価値と一致又は近似する評価値を有する１又は複数のテンプレートデータを検索する手段、として機能させることを特徴とするデータ検索プログラム。
【請求項６】
図版情報を嵌め込む図版枠及び文字情報を嵌め込む文字枠を配置するためのレイアウト情報が少なくとも記録された複数のテンプレートデータの中から、所定のグラフィックデザインの作成に使用する１以上のテンプレートデータを検索するデータ検索プログラムであって、
コンピュータを、
前記所定のグラフィックデザインに関する１以上の特定の要素に対して入力された評価値と、各々の前記テンプレートデータ又は情報ファイルに予め記録された１以上の前記特定の要素に対する評価値とを比較して、前記入力された評価値と一致又は近似する評価値を有する１又は複数のテンプレートデータを検索する手段、として機能させることを特徴とするデータ検索プログラム。
【請求項７】
前記検索する手段では、前記所定のグラフィックデザインに嵌め込む写真の枚数以上の前記図版枠を備えるテンプレートデータに対して、前記評価値の比較を行うことを特徴とする請求項５又は６に記載のデータ検索プログラム。
【請求項８】
前記特定の要素は、文字に対する図版の視覚的な強さを規定する”視覚度”、前記媒体内の領域に対する図版の占有面積比率を規定する”図版度”、嵌め込まれた文字の大小差を規定する”文字のジャンプ率”、嵌め込まれた図版の大小差を規定する”写真のジャンプ率”、前記媒体内の領域に設けられたグリッド線に対する拘束度合いを規定する”グリッド拘束率”、前記媒体内の領域に対する文字及び図版を嵌め込む領域の面積比率を規定する”版面率”、文字の揃え位置を規定する”構成の３原型”、書体のタイプ、太さ、大きさ、字間、行間又は字詰めを規定する”書体のイメージ”の中から選択される１以上の要素を含むことを特徴とする請求項５乃至７のいずれか一に記載のデータ検索プログラム。
【請求項９】
図版情報を嵌め込む図版枠及び文字情報を嵌め込む文字枠を配置するためのレイアウト情報が少なくとも記録された複数のテンプレートデータの中から、所定のグラフィックデザインの作成に使用する１以上のテンプレートデータを検索するデータ検索方法であって、
前記所定のグラフィックデザインに関する１以上のキーワードを入力させるステップと、
入力された１以上の前記キーワードの各々について、予め記憶されたテーブルを参照して、前記グラフィックデザインの特徴を示す１以上の特定の要素に対する評価値を特定するステップと、
各々の前記テンプレートデータ又は情報ファイルに予め記録された１以上の前記特定の要素に対する評価値を読み取るステップと、
前記特定された評価値と前記読み取った評価値とを比較して、前記特定された評価値と一致又は近似する評価値を有する１又は複数のテンプレートデータを検索するステップと、
検索された前記テンプレートデータを特定する情報を提示するステップと、を少なくとも備えることを特徴とするデータ検索方法。
【請求項１０】
図版情報を嵌め込む図版枠及び文字情報を嵌め込む文字枠を配置するためのレイアウト情報が少なくとも記録された複数のテンプレートデータの中から、所定のグラフィックデザインの作成に使用する１以上のテンプレートデータを検索するデータ検索方法であって、
前記所定のグラフィックデザインに関する１以上の特定の要素に対する評価値を入力させるステップと、
各々の前記テンプレートデータ又は情報ファイルに予め記録された１以上の前記特定の要素に対する評価値を読み取るステップと、
前記入力された評価値と前記読み取った評価値とを比較して、前記入力された評価値と一致又は近似する評価値を有する１又は複数のテンプレートデータを検索するステップと、
検索された前記テンプレートデータを特定する情報を提示するステップと、を少なくとも備えることを特徴とするデータ検索方法。
【請求項１１】
前記入力させるステップでは、前記キーワード又は前記評価値に加えて、前記所定のグラフィックデザインに嵌め込む写真の枚数を入力させ、
前記検索するステップでは、入力された前記写真の枚数以上の前記図版枠を備えるテンプレートデータに対して、前記評価値の比較を行うことを特徴とする請求項９又は１０に記載のデータ検索方法。
【請求項１２】
前記特定の要素は、文字に対する図版の視覚的な強さを規定する”視覚度”、前記媒体内の領域に対する図版の占有面積比率を規定する”図版度”、嵌め込まれた文字の大小差を規定する”文字のジャンプ率”、嵌め込まれた図版の大小差を規定する”写真のジャンプ率”、前記媒体内の領域に設けられたグリッド線に対する拘束度合いを規定する”グリッド拘束率”、前記媒体内の領域に対する文字及び図版を嵌め込む領域の面積比率を規定する”版面率”、文字の揃え位置を規定する”構成の３原型”、書体のタイプ、太さ、大きさ、字間、行間又は字詰めを規定する”書体のイメージ”の中から選択される１以上の要素を含むことを特徴とする請求項９乃至１１のいずれか一に記載のデータ検索方法。
【発明の詳細な説明】
【技術分野】
【０００１】
本発明は、データ検索プログラム及びデータ検索装置並びにデータ検索方法に関し、特に、グラフィックデザインを作成するための複数のテンプレートの中から所定のテンプレートデータを検索するためのデータ検索プログラム及びデータ検索装置並びにデータ検索方法に関する。
【背景技術】
【０００２】
新聞、雑誌、各種案内、商品カタログ、ダイレクトメール、ホームページなどの表現媒体に特定のコンセプトに基づいてグラフィックデザインを作成するには、コンセプトの把握、写真や各種イラストなどの図版の選択、リード、キャッチコピーあるいは本文などの文章の創作、ホワイトスペースを含めたレイアウトの選定といった各種の専門的な作業を必要とする。そのため、グラフィックデザインを利用するユーザは、通常、グラフィックデザインに関する専門的な知識と長年の経験及び豊かな感性を備えたスタッフが在籍するデザイン事務所にグラフィックデザインの作成を依頼することになる。
【０００３】
しかしながら、頻繁にグラフィックデザインを利用する場合、その都度デザイン事務所にグラフィックデザインの作成を依頼しなければならず煩雑であり、ユーザ自らが簡易に見栄えのよいグラフィックデザインを作成することができるツールが望まれている。このような要望から、近年、特定の用途に用いられる代表的なグラフィックデザインを作成するために用いられる型（テンプレート）の電子データ（テンプレートデータ）が市販されるようになってきている（例えば、下記特許文献１参照）。
【０００４】
【特許文献１】特開２０００−９９５００号公報（第４−６頁、第１図）
【発明の開示】
【発明が解決しようとする課題】
【０００５】
上述したテンプレートデータは、特定の用途に適したグラフィックデザインを作成することを前提にして作られたものであるため、様々な用途に適したグラフィックデザインを作成するためには多数のテンプレートデータが必要になる。そこで、多数のテンプレートデータをセットにしたデータ群をユーザに提供する方法が用いられるが、グラフィックデザインはその様式や造形によって見る者に対して与える効果が大きく異なるため、単に多数のテンプレートデータを集めたデータ群をユーザに提供しても、それらがグラフィックデザインの様式や造形を考慮して選別されたものでなければ各々の用途に対して効果的なグラフィックデザインを作成することはできない。
【０００６】
そこで、本願発明者は先願（特願２００４−３０４５３５）において、グラフィックデザインの特徴を示す特定の要素に基づいて、グラフィックデザインを用途に対応付けられた複数のカテゴリーに分類し、各々のカテゴリーに対して少なくとも１つのテンプレートデータが含まれるようにデータ群を作成する方法を提案している。
【０００７】
このような方法で構成された複数のテンプレートデータを用いることによって様々な用途に適したグラフィックデザインを作成することができるが、多数の特定の要素に基づいてカテゴリーを分類するとカテゴリーの数が多くなり、それに伴ってテンプレートデータの数も増えるために、多数のテンプレートデータの中から所望のグラフィックデザインの作成に適したテンプレートデータを抽出するのが難しいという問題がある。
【０００８】
本発明は、上記問題点に鑑みてなされたものであって、その主たる目的は、多数のテンプレートデータの中から所望のグラフィックデザインの作成に適したテンプレートデータを簡単かつ確実に検索することができるデータ検索装置及びデータ検索プログラム並びにデータ検索方法を提供することにある。
【課題を解決するための手段】
【０００９】
上記目的を達成するため、本発明のデータ検索装置は、図版情報を嵌め込む図版枠及び文字情報を嵌め込む文字枠を配置するためのレイアウト情報が少なくとも記録された複数のテンプレートデータの中から、所定のグラフィックデザインの作成に使用する１以上のテンプレートデータを検索するデータ検索装置であって、前記所定のグラフィックデザインに関する１以上のキーワードを入力させる手段と、入力された１以上の前記キーワードの各々について、予め記憶されたテーブルを参照して、前記グラフィックデザインの特徴を示す１以上の特定の要素に対する評価値を特定する手段と、前記特定された評価値と、各々の前記テンプレートデータ又は情報ファイルに予め記録された１以上の前記特定の要素に対する評価値とを比較して、前記特定された評価値と一致又は近似する評価値を有する１又は複数のテンプレートデータを検索する手段と、検索された前記テンプレートデータを特定する情報を提示する手段と、を少なくとも備えるものである。
【００１０】
また、本発明のデータ検索装置は、図版情報を嵌め込む図版枠及び文字情報を嵌め込む文字枠を配置するためのレイアウト情報が少なくとも記録された複数のテンプレートデータの中から、所定のグラフィックデザインの作成に使用する１以上のテンプレートデータを検索するデータ検索装置であって、前記所定のグラフィックデザインに関する１以上の特定の要素に対する評価値を入力させる手段と、前記入力された評価値と、各々の前記テンプレートデータ又は情報ファイルに予め記録された１以上の前記特定の要素に対する評価値とを比較して、前記入力された評価値と一致又は近似する評価値を有する１又は複数のテンプレートデータを検索する手段と、検索された前記テンプレートデータを特定する情報を提示する手段と、を少なくとも備えるものである。
【００１１】
本発明においては、前記入力させる手段では、前記キーワード又は前記評価値に加えて、前記所定のグラフィックデザインに嵌め込む写真の枚数を入力させ、前記検索する手段では、入力された前記写真の枚数以上の前記図版枠を備えるテンプレートデータに対して、前記評価値の比較を行う構成とすることができる。
【００１２】
また、本発明のデータ検索プログラムは、図版情報を嵌め込む図版枠及び文字情報を嵌め込む文字枠を配置するためのレイアウト情報が少なくとも記録された複数のテンプレートデータの中から、所定のグラフィックデザインの作成に使用する１以上のテンプレートデータを検索するデータ検索プログラムであって、コンピュータを、前記所定のグラフィックデザインに関して入力された１以上のキーワードの各々について、予め記憶されたテーブルを参照して、前記グラフィックデザインの特徴を示す１以上の特定の要素に対する評価値を特定する手段、前記特定された評価値と、各々の前記テンプレートデータ又は情報ファイルに予め記録された１以上の前記特定の要素に対する評価値とを比較して、前記特定された評価値と一致又は近似する評価値を有する１又は複数のテンプレートデータを検索する手段、として機能させるものである。
【００１３】
また、本発明のデータ検索プログラムは、図版情報を嵌め込む図版枠及び文字情報を嵌め込む文字枠を配置するためのレイアウト情報が少なくとも記録された複数のテンプレートデータの中から、所定のグラフィックデザインの作成に使用する１以上のテンプレートデータを検索するデータ検索プログラムであって、コンピュータを、前記所定のグラフィックデザインに関する１以上の特定の要素に対して入力された評価値と、各々の前記テンプレートデータ又は情報ファイルに予め記録された１以上の前記特定の要素に対する評価値とを比較して、前記入力された評価値と一致又は近似する評価値を有する１又は複数のテンプレートデータを検索する手段、として機能させるものである。
【００１４】
また、本発明のデータ検索方法は、図版情報を嵌め込む図版枠及び文字情報を嵌め込む文字枠を配置するためのレイアウト情報が少なくとも記録された複数のテンプレートデータの中から、所定のグラフィックデザインの作成に使用する１以上のテンプレートデータを検索するデータ検索方法であって、前記所定のグラフィックデザインに関する１以上のキーワードを入力させるステップと、入力された１以上の前記キーワードの各々について、予め記憶されたテーブルを参照して、前記グラフィックデザインの特徴を示す１以上の特定の要素に対する評価値を特定するステップと、各々の前記テンプレートデータ又は情報ファイルに予め記録された１以上の前記特定の要素に対する評価値を読み取るステップと、前記特定された評価値と前記読み取った評価値とを比較して、前記特定された評価値と一致又は近似する評価値を有する１又は複数のテンプレートデータを検索するステップと、検索された前記テンプレートデータを特定する情報を提示するステップと、を少なくとも備えるものである。
【００１５】
また、本発明のデータ検索方法は、図版情報を嵌め込む図版枠及び文字情報を嵌め込む文字枠を配置するためのレイアウト情報が少なくとも記録された複数のテンプレートデータの中から、所定のグラフィックデザインの作成に使用する１以上のテンプレートデータを検索するデータ検索方法であって、前記所定のグラフィックデザインに関する１以上の特定の要素に対する評価値を入力させるステップと、各々の前記テンプレートデータ又は情報ファイルに予め記録された１以上の前記特定の要素に対する評価値を読み取るステップと、前記入力された評価値と前記読み取った評価値とを比較して、前記入力された評価値と一致又は近似する評価値を有する１又は複数のテンプレートデータを検索するステップと、検索された前記テンプレートデータを特定する情報を提示するステップと、を少なくとも備えるものである。
【００１６】
本発明においては、前記特定の要素は、文字に対する図版の視覚的な強さを規定する”視覚度”、前記媒体内の領域に対する図版の占有面積比率を規定する”図版度”、嵌め込まれた文字の大小差を規定する”文字のジャンプ率”、嵌め込まれた図版の大小差を規定する”写真のジャンプ率”、前記媒体内の領域に設けられたグリッド線に対する拘束度合いを規定する”グリッド拘束率”、前記媒体内の領域に対する文字及び図版を嵌め込む領域の面積比率を規定する”版面率”、文字の揃え位置を規定する”構成の３原型”、書体のタイプ、太さ、大きさ、字間、行間又は字詰めを規定する”書体のイメージ”の中から選択される１以上の要素を含むことが好ましい。
【００１７】
このように、本発明の構成によれば、所望のグラフィックデザインに関するキーワードを入力、又は、１以上の特定の要素に対する評価値を入力するだけで、多数のテンプレートデータの中から所望のグラフィックデザインの作成に適したテンプレートデータを簡単かつ確実に検索することができる。
【発明の効果】
【００１８】
本発明のデータ検索装置及びデータ検索プログラム並びにデータ検索方法によれば、多数のテンプレートデータの中から所望のグラフィックデザインの作成に適したテンプレートデータを簡単かつ確実に検索することができる。
【００１９】
その理由は、グラフィックデザインの特徴を示す様式の基本原則や造形の基本原則などの特定の要素に基づいてグラフィックデザインを複数のカテゴリーに分類し、その各々のカテゴリーに対して少なくとも１つのテンプレートデータを含むように構成されたデータ群を利用して、該データ群の中から所望のグラフィックデザインの作成に適したテンプレートデータを検索する際に、所望のグラフィックデザインに関するキーワードを入力すると、評価値特定手段では、該キーワードに対して、予め記憶されたテーブルを参照して、グラフィックデザインの特徴を示す１以上の特定の要素に対する評価値を特定し、検索手段では、特定された評価値と、各々のテンプレートデータのヘッダ又は該テンプレートデータと共に記録された情報ファイルに予め記録された１以上の特定の要素に対する評価値とを比較し、特定された評価値を一致又は近似する評価値を有するテンプレートデータを検索して候補として提示するからである。
【００２０】
また、キーワードを入力する代わりに、１以上の特定の要素に対する評価値を直接入力した場合には、検索手段では、入力された評価値と、各々のテンプレートデータのヘッダ又は情報ファイルに予め記録された１以上の特定の要素に対する評価値とを比較し、入力された評価値と一致又は近似する評価値を有するテンプレートデータを検索して候補として提示するからである。
【発明を実施するための最良の形態】
【００２１】
従来技術で示したように、本願発明者は先願において、グラフィックデザインの特徴を示す特定の要素に基づいて、グラフィックデザインを用途に対応付けられた複数のカテゴリーに分類し、各々のカテゴリーに対して少なくとも１つのテンプレートデータが含まれるようにデータ群を作成する方法を提案しているが、本発明では、更に、上記方法で構成されたデータ群の中から所望のグラフィックデザインの作成に適したテンプレートデータを検索することを特徴としている。
【００２２】
ここで、本発明における検索で利用する上記特定の要素について説明する。この特定の要素としては、様式の基本原則と、グラフィックデザインの造形の基本原則とがあり、様式の基本原則としては、例えば、視覚度、図版度、文字のジャンプ率、写真のジャンプ率、グリッド拘束率、版面率、構成の３原型、書体のイメージなどが挙げられる。
【００２３】
”視覚度”とは、文字に対してイラストや写真などの絵的な要素がおこす視覚的な強さであり、例えば、図１０に示すように、文字だけの構成では視覚度が低くなり、逆に写真やイラストを盛り込んだ構成では視覚度は高くなる。
【００２４】
また、”図版率”とは、紙面におけるイラストや写真などの図版の占有面積比率であり、例えば、図１１に示すように、紙面全体を文字だけで埋めつくす構成では図版率は低くなり、写真やイラストなどの図版だけで文字がない構成では図版率は高くなる。この図版率は０〜１００％までの数値で表すことができる。
【００２５】
また、”文字のジャンプ率”とは、紙面に嵌め込まれた文字の大小差であり、例えば、図１２に示すように、文字のジャンプ率が低くなると、上品、落ち着き、格調高い、静かなどの印象を与えるデザインとなり、文字のジャンプ率が高くなると、親しみ、活気、楽しさ、賑やかさ、ダイナミックなどの印象を与えるデザインとなる。
【００２６】
また、”写真のジャンプ率”とは、紙面に嵌め込まれた写真の大小差であり、例えば、図１３に示すように、写真のジャンプ率が低くなると、実用的、穏やか、静か、落ち着き、上品などの印象を与えるデザインとなり、写真のジャンプ率が高くなると、情緒的、シャープ、歯切れ、すっきりなどの印象を与えるデザインとなる。
【００２７】
また、”グリッド拘束率”とは、レイアウト用紙上のグリッド線への拘束度であり、例えば、図１４に示すように、グリッド拘束率が低くなると、柔らかさ、自由、楽しさ、女性的、活気、大胆、不安定、親しみなどの印象を与えるデザインとなり、グリッド拘束率が高くなると、堅い、落ち着き、理性的、男性的、無難、格調、荘重などの印象を与えるデザインとなる。また、図版の場合は、切り抜き写真はグリッド拘束率が低く、角版写真はグリッド拘束率が高くなる。
【００２８】
また、紙面の天地左右に一定の余白（マージン）があり、このマージンの内側の文字や図版を配置するスペースが版面であり、”版面率”とは、紙面全体に対して版面が占める面積比率であり、例えば、図１５に示すように、版面率が低く（すなわち余白が多く）なると、情報量が少なくなり、静か、上品、ゆったり、落ち着きなどの印象を与えるデザインとなり、版面率が高く（すなわち余白が少なく）なると、情報量が多くなり、賑やか、活気、忙しい、盛りだくさんなどの印象を与えるデザインとなる。
【００２９】
また、”構成の３原型”とは、紙面全体に一群の文字を組む場合の基本組型であり、左右揃え型とセンター揃え型と自然型とがある。左右揃え型では、合理的、標準的、ビジネス向きなどの印象を与えるデザインとなり、センター揃え型では、優雅、上品、格調などの印象を与えるデザインとなり、自然型では、自由、のびのび、元気などの印象を与えるデザインとなる。
【００３０】
また、”書体のイメージ”とは、ゴシック体、明朝体、筆文字、新書体などの書体のタイプと、太さ・大きさと、字間・行間・字詰めなどであり、書体のタイプをゴシック体にすると、新鮮、理性的、合理的などの印象を与えるデザインとなり、明朝体にすると、穏やか、中庸などの印象を与えるデザインとなり、筆文字にすると、伝統的、保守的などの印象を与えるデザインとなり、新書体にすると、気軽、斬新などの印象を与えるデザインとなる。また、文字を太くすると、男性的、元気さ、力強さなどの印象を与えるデザインとなり、文字を細くすると、女性的、繊細さ、優雅さ、緻密さなどの印象を与えるデザインとなり、文字を大きくすると、大胆、元気さ、パワー、暗転などの印象を与えるデザインとなり、文字を小さくすると、繊細、シャープなどの印象を与えるデザインとなる。また字間・行間・字詰めには所定のルールがあり、このルールからはずれるとメッセージが届かなくなる場合がある。
【００３１】
また、グラフィックデザインの造形の基本原則としては、例えば、主役を明示する、準主役を離す、群化、曖昧さを除く、流れを整理する、余白のバランス、四隅をおさえる、版面線を利用するなどが挙げられる。例えば、”主役を明示する”とは、最も伝えたいポイントを一番に目立たせ、その他を整理することであり、”準主役を離す”とは、２番目に伝えたいポイントを主役から離すことであり、”群化”とは、情報の要素を群化（グループ化）することで形を整理し、すっきりと伝わりやすいデザインにすることであり、”曖昧さを除く”とは、行と行、写真と文字等の間を曖昧にせず、文字と写真の高さや端を揃え、写真・文字の大きさを統一することであり、”流れを整理する”とは、受け手の視線をどのように導くかを考えてその流れに合わせて形を整えることであり、”余白のバランス”とは、最も伝えたいポイントの周りに余白を設けてメッセージを際だたせることであり、”四隅をおさえる”とは、四隅に情報をおいて画面全体を引き締め、安定させることであり、”版面線を利用する”とは、版面線に沿ってレイアウトすることで落ち着いた紙面を作ることである。
【００３２】
そして、上記したグラフィックデザインの特徴を示す様式の基本原則や造形の基本原則を規定する特定の要素に基づいてグラフィックデザインを複数のカテゴリーに分類すれば、各々のカテゴリーとグラフィックデザインの用途とを対応付けることができ、所定の用途に対応するカテゴリーに属するテンプレートを用いてグラフィックデザインを作成すれば、該用途に適した効果的なグラフィックデザインを作成できる。
【００３３】
そこで、本発明では、グラフィックデザインの分類の基となる特定の要素に対する評価を数値化した評価値を利用して、多数のテンプレートデータの中から所望のグラフィックデザインに適したテンプレートデータを検索している。以下、その具体的構成について、図面を参照して説明する。
【実施例１】
【００３４】
上記した本発明の実施の形態についてさらに詳細に説明すべく、本発明の第１の実施例に係るデータ検索装置及びデータ検索プログラム並びにデータ検索方法について、図１乃至図９を参照して説明する。図１は、グラフィックデザインを作成するためのテンプレート及び該テンプレートに図版及び文字を嵌め込んで作成されたグラフィックデザインの一例を示す図であり、図２は、テンプレートデータ装置の構成を模式的に示す図、図３は、その主な機能を示すブロック図である。また、図４は、テンプレートデータを検索する手順を示すフローチャート図であり、図５乃至図７は表示手段に表示される画面の一例を示す図である。また、図８は、記憶手段に記憶されるテーブルの一例を示す図であり、図９は、テンプレートデータが記録された記録媒体におけるデータの記録構造を示す図である。
【００３５】
図１に示すように、テンプレート１は、新聞、雑誌、各種案内、商品カタログ、ダイレクトメール、ホームページなどの表現媒体内部の領域に、写真やイラストなどの図版を嵌め込むための図版枠２と、文字を埋め込むための文字枠３とがレイアウトされたものであり、このテンプレート１の電子データ（すなわち、図版枠２や文字枠３のレイアウト情報や必要に応じてサンプルの図版データや文字データが記録されたデータ。以下、テンプレートデータと呼ぶ。）がユーザに提供される。そして、該テンプレートデータをコンピュータ端末などにロードし、写真の画像データや所定のアプリケーションで作成したイラストデータなどの図版情報５や図版と共に記載する文字情報６をユーザが指定すると、図版情報５が図版枠２内に嵌め込まれ、文字情報６が文字枠３に嵌め込まれてグラフィックデザイン４が作成され、このグラフィックデザイン４の電子データをプリンタなどの印刷手段などに出力することによりグラフィックデザイン４が上記表現媒体上に表現される。
【００３６】
上記テンプレートデータは、特定の用途に対して作成されたものであるため、様々な用途のグラフィックデザインを作成できるように、グラフィックデザインの特徴を示す特定の要素を用いて分類された複数のカテゴリーの各々に対して少なくとも１つのテンプレートデータが存在するように選別されたデータ群がユーザに提供され、ユーザはこのデータ群の中から適切なテンプレートデータを選別してグラフィックデザインの作成を行う。その際、多数のテンプレートデータの中から適切なテンプレートデータを選別するのは容易ではないことから、図２及び図３に示すようデータ検索装置７を用いて検索を行う。
【００３７】
このデータ検索装置７は、テンプレートデータに関するキーワードや１以上の特定の要素に対する評価値の入力などを行うための操作手段９と、テンプレートデータの検索結果の表示などを行う表示手段８と、入力された各々のキーワードについて、予め記憶されたテーブルを参照して、１以上の特定の要素に対する評価値を特定する評価値特定手段１２と、特定された評価値と、各々のテンプレートデータのヘッダやテンプレートデータと共に記録された情報ファイルに予め記録された、各々のテンプレートデータについての１以上の特定の要素に対する評価値とを比較し、特定又は入力された評価値と一致又は近似する評価値を有するテンプレートデータを検索する検索手段１３と、キーワードと１以上の特定の要素に対する評価値との対応関係を規定するテーブルなどを記録する内部記憶手段１４と、複数のテンプレートデータで構成されるデータ群が記録されたＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１５を装填する記録媒体装填手段１０と、これらの手段を制御する制御手段１１とを備えている。なお、上記各手段は、データ検索装置７にハードウェアとして構成されていてもよいし、コンピュータを、評価値特定手段１２及び検索手段１３として機能させるデータ検索プログラムとして構成し、該データ検索プログラムをデータ検索装置７にインストールして実行する構成としてもよい。
【００３８】
以下、上記構成のデータ検索装置７を用いて、複数のテンプレートデータの中から所望のグラフィックデザインの作成に適したテンプレートデータを検索する方法について説明するが、その前に、本発明の理解を容易にするために、複数のテンプレートデータをセットにしたデータ群を生成する手順について説明する。
【００３９】
まず、デザイン作成装置を用いて図版枠２及び文字枠３が用途に応じて適切に配置された複数のテンプレート１を作成し、各々のテンプレート１をユーザのコンピュータ端末などで動作させるためのテンプレートデータを生成する。このテンプレートデータは上述したように図版枠２や文字枠３のレイアウト情報や必要に応じてサンプルの画像データや文字データが記録されたデータであり、その形式は特に限定されないが、例えば、PowerPointで表示可能なデータ（拡張子がpptのデータ）やAdobe（登録商標）Illustratorで表示可能なデータ（拡張子がepsのデータ）などとすることができる。また、グラフィックデザイン４の出来上がりのイメージを掴みやすくするために、テンプレート１内部の領域や図版枠２で囲まれる領域、文字枠３で囲まれる領域の少なくとも１つは色彩のない明度のみのグレースケールで表示されるようにすることが好ましい。
【００４０】
次に、上述したグラフィックデザインの特徴を示す様式の基本原則又は造形の基本原則を規定する特定の要素の中から選択した１以上の特定の要素に基づいてグラフィックデザイン４を複数のカテゴリーに分類し、各々のカテゴリーに対して少なくとも１つのテンプレートデータを選別する。
【００４１】
その際、本実施例のデータ検索装置７を用いて複数のテンプレートデータの中から所望のグラフィックデザインの作成に適したテンプレートデータを検索できるようにするために、各々のテンプレートデータのヘッダに１以上の特定の要素に対する評価値を記録したり、又は、図９（ｃ）に示すように、テンプレートデータを特定する情報（ファイル名など）と該テンプレートデータが属するカテゴリーを特定する情報（カテゴリー名）と１以上の特定の要素に対する評価値とを対応付けた情報（例えば、\PowerPoint\Category1\PP-C1-001.ppt,(F1=1,F2=5,F3=2,F4=4,F5=3,F6=2,F7=1,F8=3),…,など（F1〜F8は上記８つの要素を示し、対応する数字は要素のレベルを示す。））が記録された情報ファイルを生成する。この情報ファイルのファイル形式は限定されず、ユーザのコンピュータ端末にインストールされているアプリケーションで利用可能な形式であればよく、ｘｍｌ形式やテキスト形式のファイルとしてもよいし、PowerPointやAdobe（登録商標）Illustratorで利用可能な形式のファイルとしてもよいし、メタデータとしてもよい。
【００４２】
そして、選別した複数のテンプレートデータと必要に応じて生成した情報ファイルとをセットにしてデータ群を構成し、該データ群をホストコンピュータなどに送信して記憶させたり、該データ群を記録媒体１５に書き込み、該データ群又は該データ群が記録された記録媒体１５と、必要に応じてテンプレートデータを紙媒体などの直接目視が可能な媒体に出力した印刷物とをセットにしてユーザに提供する。
【００４３】
上記手順でデータが書き込まれた記録媒体１５におけるデータの記録構造は、例えば、図９に示すようになり、PowerPoint用のテンプレートデータを生成した場合は、図９（ａ）に示すように、各々のカテゴリーに対してフォルダ（Category1など）が生成され、その中に該カテゴリーに属する少なくとも１つのテンプレートデータ（PP-C1-001.pptなど）が格納さると共に、必要に応じてテンプレートデータに関する情報が記述された情報ファイル（index.txt）が記録され、これらでデータ群が構成される。また、Adobe（登録商標）Illustrator用のテンプレートデータを生成した場合は、図９（ｂ）に示すように、各々のカテゴリーに対してフォルダ（Category1など）が生成され、その中に該カテゴリーに属する少なくとも１つのテンプレートデータ（AI-C1-001.epsなど）が格納されると共に、必要に応じて情報ファイル（index.txt）が記録され、これらでデータ群が構成される。
【００４４】
このようにして作成されたデータ群を用いてグラフィックデザインを作成することになるが、その際、従来技術で示したように、多数の特定の要素を用いてグラフィックデザインを分類するとカテゴリーの数が多くなり、それに伴ってテンプレートデザインの数も多くなるため、多数のテンプレートデータの中から所定の用途に使用するグラフィックデザインの作成に適したテンプレートデータを選択するのが容易でないという問題があった。そこで、本実施例では、ユーザが入力したキーワードに対して、上記特定の要素の評価値を特定し、その評価値に基づいて、所定のグラフィックデザインの作成に適したテンプレートデータを検索している。以下、その具体的な検索方法について、図４のフローチャート図を参照して説明する。
【００４５】
まず、ステップＳ１０１で、データ検索装置７の制御手段１１は、表示手段８に例えば図５（ａ）に示すようなキーワード入力画面１６を表示させる。このキーワード入力画面１６には、ユーザが作成しようとするグラフィックデザインに関する文言（キーワード）を入力する枠が設けられており、ユーザは操作手段９を操作して作成しようとするグラフィックデザインのイメージを現すキーワードを入力する。
【００４６】
次に、ステップＳ１０２で、評価値特定手段１２は、予め内部記憶手段１４に記憶されたテーブルを参照して、入力された各々のキーワードについて、１以上の特定の要素に対する評価値を特定する。具体的に説明すると、内部記憶手段１４には、図８に示すように、各種キーワードと特定の要素に対する評価値とを対応付けるテーブルが記憶されており、例えば、”親しみ”というキーワードを入力した場合、実施形態で示したように、このキーワードには特定の要素の中の文字のジャンプ率が対応しており、文字のジャンプ率が高くなるに従って親しみやすいイメージになることから、文字のジャンプ率に対する評価値を高い値（例えば５段階で評価した場合は５）に設定する。
【００４７】
なお、このキーワードは少なくとも１つ入力されていればよいが、該当するテンプレートデータを絞り込むことができるように複数のキーワードを入力してもよい。例えば、”親しみ”、”柔らかい”、”賑やか”という３つのキーワードを入力した場合、各々のキーワードには特定の要素の中の文字のジャンプ率、グリッド拘束率、版面率が対応しており、文字のジャンプ率が高くなるに従って親しみやすいイメージ、グリッド拘束率が高くなるに従って堅いイメージ、版面率が高くなるに従って賑やかなイメージになることから、文字のジャンプ率及び版面率に対する評価値を高い値（同様に５段階で評価した場合は５）に、グリッド拘束率に対する評価値を低い値（同様に５段階で評価した場合は１）に設定する。
【００４８】
また、上記テーブルで規定されていないキーワードが入力される場合も考えられる。その場合の方法としては、例えば、”別のキーワードを入力してください”などのメッセージを表示してもよいし、入力可能なキーワードを列記した表などを予めユーザに提示しておき、その中から選択したキーワードを入力させるようにしてもよいし、グラフィックデザインに関する様々な文言と上記テーブルに規定されているキーワードとを対応付ける第２のテーブルを用意しておき、テーブルで規定されていないキーワードが入力された場合は、第２のテーブルを参照して該キーワードをテーブルに規定されたキーワードに変換し、その後、変換されたキーワードに対して特定の要素に対する評価値を特定してもよい。また、キーワード入力画面１６に代えて、図５（ｂ）に示すような、テーブルで規定されているキーワードを対比したキーワード選択画面１７を表示させ、その中から所望のキーワードを選択させる構成としてもよい。
【００４９】
また、入力したキーワードが少ない場合に、該当するテンプレートデータの候補が多数検索されてしまう場合も考えられる。その場合には、ステップＳ１０１でキーワード入力画面１６を表示させる前に、グラフィックデザインを表現する媒体を選択する画面を表示させ、後述するステップで入力したキーワードに該当するテンプレートデータを検索する際に、選択された媒体に対応するテンプレートデータのみを検索の対象とする構成としてもよい。このような構成にすれば、グラフィックデザインを表現しようとする媒体に適したテンプレートデータを効果的に検索することができる。
【００５０】
次に、ステップＳ１０３で、検索手段１３は、記録媒体１５に記録されたデータ群又は通信ネットワークを介して提供されたデータ群の中から、予め定められた順番（例えば、ファイル名順）でテンプレートデータを選択し、選択されたテンプレートデータのヘッダに予め記録された特定の要素に対する評価値を読み取る。また、テンプレートデータのヘッダに評価値が記録されていない場合は、情報ファイルの記述を参照して、選択されたテンプレートデータに対応付けて予め記録された特定の要素に対する評価値を読み取る。
【００５１】
そして、ステップＳ１０４で、検索手段１３は、ステップＳ１０２で特定された評価値と、ステップＳ１０３で読み取った評価値とを比較し、ステップＳ１０５で、両者が一致又は近似しているかを判断し、一致又は近似している場合は、ステップＳ１０６で、そのテンプレートデータを候補として登録する。ここで、両者が一致するとは、例えば、特定された評価値が、親しみ（すなわち文字のジャンプ率）が５、柔らかい（すなわちグリッド拘束率）が１、賑やかさ（すなわち版面率）が５の場合に、読み取った評価値が同じ特定の要素に対して同じ値を有する場合であり、両者が近似するとは、一部の特定の要素の評価値が同じ値の場合や、複数の特定の要素の評価値が近い値（例えば、文字のジャンプ率及び版面率の評価値が４）の場合などである。
【００５２】
なお、上記説明では、ユーザがキーワードを入力又はキーワードを選択する場合の方法であり、この方法ではキーワードから特定の要素に対する評価値を特定する必要があるが、ユーザが特定の要素に対する評価値を直接入力することもできる。例えば、ステップＳ１０１で図５（ａ）に示すキーワード入力画面１６又は図５（ｂ）に示すキーワード選択画面１７を表示する代わりに、図６に示すような、各々の特定の要素に対応付けられた項目の評価値が段階的に設定可能に表示された評価値入力画面１８を表示し、１以上の項目に対してユーザにその評価値を入力させる構成とすることもできる。具体的に説明すると、図６中の情報量の選択は図版率に対応し、イメージの選択の中のＡは文字のジャンプ率、Ｂは写真のジャンプ率、Ｃはグリッド拘束率、Ｄは版面率、Ｅは文字の大きさ、Ｆは文字の太さ、Ｇは文字の書体、Ｈは構成の３原則に対応しており、ユーザはグラフィックデザインのイメージに関連する項目についてその評価値を入力したり、該当する評価値を選択する。
【００５３】
そして、ステップＳ１０７で、検索手段１３は、全てのテンプレートデータについて検索を行ったかを判断し、検索していないテンプレートデータがある場合は、ステップＳ１０８で、検索手段１３は、次のテンプレートデータを選択し、選択されたテンプレートデータのヘッダに予め記録された特定の要素に対する評価値又は情報ファイルに予め記録された特定の要素に対する評価値を読み取り、特定された評価値又は直接入力された評価値と、そのテンプレートデータの評価値とを比較して、一致又は近似すればそのテンプレートデータを候補として登録する。なお、候補とするテンプレートデータの数は特に限定されないが、候補となるテンプレートデータが少ない場合（例えば、２個以下）の場合は近似判断の基準を緩くして候補を増やしたり、候補となるテンプレートデータが多い場合（例えば、１０個以上）の場合は近似判断の基準を厳しくして候補を減らすなどして、適切な数量のテンプレートデータが候補として登録されるようにすることもできる。
【００５４】
そして、全てのテンプレートデータに対しての検索が終了したら、ステップＳ１０９で、検索手段１３は、表示手段８に例えば図７に示すような検索結果画面１９を表示させ、候補として登録されたテンプレートデータを表示する。この検索結果画面１９の構成は特に限定されず、候補として検索されたテンプレートデータを特定できる情報（例えばファイル名）が表示されていればよいが、検索されたテンプレートデータを記録媒体１５から容易に読み取ることができるように、そのテンプレートデータが属するカテゴリーを特定する情報（カテゴリー名）も表示してもよい。また、検索結果画面１８に表示されたテンプレートデータが検索条件に一致しているのか近似しているのかを明確にするために、一致しているテンプレートデータと近似しているテンプレートデータとを区別して表示したり、各々のテンプレートデータの評価値を表示してもよい。
【００５５】
そして、ステップＳ１１０で、ユーザは検索結果画面１９に表示されたテンプレートデータを記録媒体１５から読み取って表示させたり、記録媒体１５と共に提供された印刷物を閲覧するなどして、その中からグラフィックデザインの作成に利用するテンプレートデータを選択して一連の処理を終了する。
【００５６】
このように、本実施例のデータ検索プログラム及びデータ検索装置並びにデータ検索方法によれば、グラフィックデザインの特徴を示す様式の基本原則や造形の基本原則を規定する特定の要素を用いて分類された複数のカテゴリーの各々に対して少なくとも１つのテンプレートデータを含むように構成されたデータ群を利用する場合に、ユーザが入力したキーワードに基づいて、１以上の特定の要素に対する評価値が特定され、テンプレートデータのヘッダ又は情報ファイルに予め記録された評価値と比較され、多数のテンプレートデータの中から、評価値が一致又は近似するテンプレートデータが検索されて提示されるため、所望の用途に適したグラフィックデザインを作成するためのテンプレートデータを簡単かつ確実に選別することができる。
【実施例２】
【００５７】
次に、本発明の第２の実施例に係るデータ検索装置及びデータ検索プログラム並びにデータ検索方法について、図１６及び図１７を参照して説明する。図１６は、テンプレートデータを検索する手順を示すフローチャート図であり、図１７は表示手段に表示される画面の一例を示す図である。
【００５８】
前記した第１の実施例では、キーワードを入力して、このキーワードに対応する特定の要素の評価値を特定し、この評価値に基づいてテンプレートデータを検索したが、テンプレートに写真を嵌め込む場合は、所望の枚数の写真を嵌め込むことができなければそのテンプレートデータを用いてグラフィックデザインを作成することができない。そこで、本実施例では、デザイン作成者がキーワードに加えて写真枚数を入力し、入力された枚数の写真を嵌め込むことができるテンプレートデータの中から、上記評価値に基づいてテンプレートデータを検索できるようにする。以下、データ検索の具体的な手順について、図１６のフローチャート図を参照して説明する。
【００５９】
まず、ステップＳ２０１で、データ検索装置７の制御手段１１は、表示手段８に例えば図１７に示すような写真枚数入力画面２２を表示させる。この写真枚数入力画面２２には、デザイン作成者が作成しようとするグラフィックデザインに嵌め込む写真の枚数を入力する枠が設けられており、デザイン作成者は操作手段９を操作して写真枚数を入力する。続いて、第１の実施例と同様に、キーワード入力画面１６を用いて、作成しようとするグラフィックデザインのイメージを現すキーワードを入力する。
【００６０】
次に、ステップＳ２０２で、第１の実施例と同様に、評価値特定手段１２は、予め内部記憶手段１４に記憶されたテーブルを参照して、入力された各々のキーワードについて、１以上の特定の要素に対する評価値を特定する。
【００６１】
次に、ステップＳ２０３で、検索手段１３は、記録媒体１５に記録されたデータ群又は通信ネットワークを介して提供されたデータ群の中から、予め定められた順番でテンプレートデータを選択し、選択されたテンプレートデータのヘッダに予め記録された特定の要素に対する評価値を読み取る。また、テンプレートデータのヘッダに評価値が記録されていない場合は、情報ファイルの記述を参照して、選択されたテンプレートデータに対応付けて予め記録された特定の要素に対する評価値を読み取る。
【００６２】
次に、ステップＳ２０４で、検索手段１３は、ステップＳ２０１で入力された写真の枚数と選択されたテンプレートデータに基づくテンプレートに予め設けられた図版枠２の数量とを比較し、図版枠２の数量が写真の枚数よりも少ない場合は該テンプレートデータを利用できないと判断してステップＳ２０８にスキップする。
【００６３】
一方、図版枠２の数量が写真の枚数以上の場合（図版枠２の数量と写真の枚数とが等しい場合と、図版枠２の数量が写真の枚数よりも多い場合の双方を含む。）は、ステップＳ２０５で、検索手段１３は、ステップＳ２０２で特定された評価値と、ステップＳ２０３で読み取った評価値とを比較し、ステップＳ２０６で、両者が一致又は近似しているかを判断し、一致又は近似している場合は、ステップＳ２０７で、そのテンプレートデータを候補として登録する。
【００６４】
次に、ステップＳ２０８で、検索手段１３は、全てのテンプレートデータについて検索を行ったかを判断し、検索していないテンプレートデータがある場合は、ステップＳ２０９で、検索手段１３は、次のテンプレートデータを選択して同様の処理を行う。
【００６５】
次に、全てのテンプレートデータに対しての検索が終了したら、ステップＳ２１０で、検索手段１３は、表示手段８に例えば図７に示すような検索結果画面１９を表示させ、候補として登録されたテンプレートデータを表示する。
【００６６】
そして、ステップＳ２１１で、ユーザは検索結果画面１９に表示されたテンプレートデータを記録媒体１５から読み取って表示させたり、記録媒体１５と共に提供された印刷物を閲覧するなどして、その中からグラフィックデザインの作成に利用するテンプレートデータを選択して一連の処理を終了する。
【００６７】
このように、本実施例のデータ検索プログラム及びデータ検索装置並びにデータ検索方法によれば、ユーザが入力したキーワードに基づいて、１以上の特定の要素に対する評価値が特定され、ユーザが入力した枚数の写真を嵌め込むことができるテンプレートデータに対して、該テンプレートデータのヘッダ又は情報ファイルに予め記録された評価値と比較され、多数のテンプレートデータの中から、評価値が一致又は近似するテンプレートデータが検索されて提示されるため、所望の用途に適したグラフィックデザインを作成するためのテンプレートデータを簡単かつ確実に選別することができる。
【００６８】
なお、上記各実施例では、特定の要素に基づいて分類されたデータ群の中から、該特定の要素に対する評価値を用いて所望のテンプレートデータを検索する場合について説明したが、本発明が上記実施例に限定されるものではなく、各々のデータ又は情報ファイルに検索に利用可能な情報が記録されており、入力された情報と記録された情報とを対比することによって所望のデータを検索することができる任意の装置、プログラム、方法に適用することができる。
【図面の簡単な説明】
【００６９】
【図１】テンプレート及びグラフィックデザインの構成例を示す図である。
【図２】本発明の第１の実施例に係るデータ検索装置の構成を模式的に示す図である。
【図３】本発明の第１の実施例に係るデータ検索装置の主な機能を示すブロック図である。
【図４】本発明の第１の実施例に係るデータ検索装置を用いたテンプレートデータの検索手順を示すフローチャート図である。
【図５】本発明の第１の実施例に係るデータ検索装置の表示手段に表示される画面構成例（キーワード入力画面及びキーワード選択画面）を示す図である。
【図６】本発明の第１の実施例に係るデータ検索装置の表示手段に表示される画面構成例（検索条件設定画面）を示す図である。
【図７】本発明の第１の実施例に係るデータ検索装置の表示手段に表示される画面構成例（検索結果画面）を示す図である。
【図８】本発明の第１の実施例に係るデータ検索装置に記憶されるテーブルの構成例を示す図である。
【図９】本発明の第１の実施例に係る記録媒体におけるデータの記録構造を示す図である。
【図１０】グラフィックデザインの様式の基本原則を規定する要素（視覚度）を説明するための図である。
【図１１】グラフィックデザインの様式の基本原則を規定する要素（図版率）を説明するための図である。
【図１２】グラフィックデザインの様式の基本原則を規定する要素（文字のジャンプ率）を説明するための図である。
【図１３】グラフィックデザインの様式の基本原則を規定する要素（写真のジャンプ率）を説明するための図である。
【図１４】グラフィックデザインの様式の基本原則を規定する要素（グリッド拘束率）を説明するための図である。
【図１５】グラフィックデザインの様式の基本原則を規定する要素（版面率）を説明するための図である。
【図１６】本発明の第２の実施例に係るデータ検索装置を用いたテンプレートデータの検索手順を示すフローチャート図である。
【図１７】本発明の第２の実施例に係るデータ検索装置の表示手段に表示される画面構成例（写真枚数入力画面）を示す図である。
【符号の説明】
【００７０】
１  テンプレート
２  図版枠
３  文字枠
４  グラフィックデザイン
５  図版情報
６  文字情報
７  データ検索装置
８  表示手段
９  操作手段
１０  記録媒体装填手段
１１  制御手段
１２  評価値特定手段
１３  検索手段
１４  内部記憶装置
１５  記録媒体
１６  キーワード入力画面
１７  キーワード選択画面
１８  評価値入力画面
１９  検索結果画面
２０  グリッド
２１  マージン
２２  写真枚数入力画面
【図１】
2006221600.tif 000003
【図２】
2006221600.tif 000004
【図３】
2006221600.tif 000005
【図４】
2006221600.tif 000006
【図５】
2006221600.tif 000007
【図６】
2006221600.tif 000008
【図７】
2006221600.tif 000009
【図８】
2006221600.tif 000010
【図９】
2006221600.tif 000011
【図１０】
2006221600.tif 000012
【図１１】
2006221600.tif 000013
【図１２】
2006221600.tif 000014
【図１３】
2006221600.tif 000015
【図１４】
2006221600.tif 000016
【図１５】
2006221600.tif 000017
【図１６】
2006221600.tif 000018
【図１７】
2006221600.tif 000019